【手続補正書】
【提出日】平成19年11月19日(2007.11.19)
【手続補正１】
【補正対象書類名】特許請求の範囲
【補正対象項目名】全文
【補正方法】変更
【補正の内容】
【特許請求の範囲】
【請求項１】
操作者の属性情報を操作者属性情報として保存する操作者属性情報記憶部と、
医用データを保存する医用データ記憶部と、
前記医用データの作成に関わる情報をデータ属性情報として保存するデータ属性情報記憶部と、
前記医用データへの前記操作者のアクセスを、前記操作者属性情報および前記データ属性情報を用いて制御するためのアクセス制御を行うアクセス制御部と、
を備えることを特徴とする医用機器。
【請求項２】
操作者の属性情報を操作者属性情報として保存する操作者属性情報記憶部と、医用データを保存する医用データ記憶部と、前記医用データの属性情報をデータ属性情報として保存するデータ属性情報記憶部とを備えた医用機器において、
前記操作者属性情報および前記データ属性情報の少なくとも一方を用いて前記医用データへの前記操作者のアクセスを制御するためのアクセス制御情報を作成するアクセス制御情報作成部と、
前記アクセス制御情報を保存するアクセス制御情報記憶部と、
前記操作者の識別情報および役割情報の少なくとも一方に基づいて、前記アクセス制御情報記憶部から当該操作者の前記アクセス制御情報を取得するアクセス制御情報取得部と、
前記アクセス制御情報取得部により取得された前記アクセス制御情報に従うアクセス可否判定に必要な前記操作者属性情報を前記操作者属性情報記憶部から取得する操作者属性情報取得部と、
前記アクセス制御情報取得部により取得された前記アクセス制御情報に従うアクセス可否判定に必要な前記データ属性情報を前記データ属性情報記憶部から取得するデータ属性情報取得部と、
前記アクセス制御情報取得部から受けた前記アクセス制御情報に従って、前記操作者属性情報取得部から受けた前記操作者属性情報および前記データ属性情報取得部から受けた前記データ属性情報の少なくとも一方に基づいて、前記操作者の前記医用データへのアクセス可否判定を実行し、アクセス不可と判定された前記医用データへのアクセス制限を行うアクセス可否判定部と、
を設けたことを特徴とする医用機器。
【請求項３】
前記アクセス制御情報作成部は、前記アクセス制御情報を、前記医用データのうち表示装置に表示させる医用データを選択するためのリストにアクセス不可と判定された前記医用データが表示されないように作成することが可能である一方、前記アクセス可否判定部は、アクセス不可と判定された前記医用データが前記リストに表示されないように前記リスト情報を作成するように構成されることを特徴とする請求項２記載の医用機器。
【請求項４】
前記アクセス制御情報作成部は、前記アクセス制御情報を、前記医用データのうち表示装置に表示させる医用データを選択するためのリストからアクセス不可と判定された前記医用データを選択できないように作成することが可能である一方、前記アクセス可否判定部は、アクセス不可と判定された前記医用データが前記リストから選択できないように前記リスト情報を作成するように構成されることを特徴とする請求項２記載の医用機器。
【請求項５】
前記操作者属性情報には、前記操作者が所属している診療科を示す所属情報が含まれる一方、前記データ属性情報には検査を依頼した診療科を示す検査依頼科情報が含まれ、前記アクセス制御情報作成部は、前記操作者の前記所属情報と前記検査依頼科情報とが互いに異なる場合には、アクセス不可と判定されるように前記アクセス制御情報を作成できるようにしたことを特徴とする請求項２記載の医用機器。
【請求項６】
前記データ属性情報には検査を依頼した担当医を示す担当医情報が含まれる一方、前記操作者属性情報には前記操作者の識別情報が含まれ、前記アクセス制御情報作成部は、前記操作者の識別情報と前記担当医情報とが互いに異なる場合には、アクセス不可と判定されるように前記アクセス制御情報を作成できるようにしたことを特徴とする請求項２記載の医用機器。
【請求項７】
前記データ属性情報には前記医用データを撮影した撮影者を示す撮影者情報が含まれる一方、前記操作者属性情報には前記操作者の識別情報が含まれ、前記アクセス制御情報作成部は、前記操作者の識別情報と前記撮影者情報とが互いに異なる場合には、アクセス不可と判定されるように前記アクセス制御情報を作成できるようにしたことを特徴とする請求項２記載の医用機器。
【請求項８】
前記データ属性情報には該当患者の治療に当たっている医療チームを示す医療チーム情報が含まれる一方、前記操作者属性情報には前記医療チームに前記操作者が所属していることを示す医療チーム情報が含まれ、前記アクセス制御情報作成部は、前記データ属性情報に含まれる医療チーム情報と前記操作者属性情報に含まれる医療チーム情報とが互いに異なる場合には、アクセス不可と判定されるように前記アクセス制御情報を作成できるようにしたことを特徴とする請求項２記載の医用機器。
【請求項９】
前記操作者属性情報には時間的範囲情報が含まれる一方、前記データ属性情報には検査日時時刻が含まれ、前記アクセス制御情報作成部は、前記検査日時時刻が前記時間的範囲情報に含まれない場合には、アクセス不可と判定されるように前記アクセス制御情報を作成できるようにしたことを特徴とする請求項２記載の医用機器。
【請求項１０】
医用機器に操作者属性情報として保存された操作者の属性情報およびデータ属性情報として保存された医用データの属性情報の少なくとも一方を用いて前記医用機器に保存された医用データへの操作者のアクセスを制御するためのアクセス制御情報を作成するステップと、
前記アクセス制御情報を保存するステップと、
前記操作者の識別情報および役割情報の少なくとも一方に基づいて、保存された前記アクセス制御情報から当該操作者の前記アクセス制御情報を取得するステップと、
取得された前記アクセス制御情報に従うアクセス可否判定に必要な前記操作者属性情報を取得するステップと、
取得された前記アクセス制御情報に従うアクセス可否判定に必要な前記データ属性情報を取得するステップと、
取得された前記アクセス制御情報に従って、取得された前記操作者属性情報および前記データ属性情報の少なくとも一方に基づいて、前記操作者の前記医用データへのアクセス可否判定を実行し、アクセス不可と判定された前記医用データへのアクセス制限を行うステップと、
を有することを特徴とする医用データアクセス制御方法。
【手続補正２】
【補正対象書類名】明細書
【補正対象項目名】０００８
【補正方法】変更
【補正の内容】
【０００８】
本発明に係る医用機器は、上述の目的を達成するために、請求項１に記載したように、操作者の属性情報を操作者属性情報として保存する操作者属性情報記憶部と、医用データを保存する医用データ記憶部と、前記医用データの作成に関わる情報をデータ属性情報として保存するデータ属性情報記憶部と、前記医用データへの前記操作者のアクセスを、前記操作者属性情報および前記データ属性情報を用いて制御するためのアクセス制御を行うアクセス制御部とを備えることを特徴とするものである。また、本発明に係る医用機器は、上述の目的を達成するために、請求項２に記載したように、操作者の属性情報を操作者属性情報として保存する操作者属性情報記憶部と、医用データを保存する医用データ記憶部と、前記医用データの属性情報をデータ属性情報として保存するデータ属性情報記憶部とを備えた医用機器において、前記操作者属性情報および前記データ属性情報の少なくとも一方を用いて前記医用データへの前記操作者のアクセスを制御するためのアクセス制御情報を作成するアクセス制御情報作成部と、前記アクセス制御情報を保存するアクセス制御情報記憶部と、前記操作者の識別情報および役割情報の少なくとも一方に基づいて、前記アクセス制御情報記憶部から当該操作者の前記アクセス制御情報を取得するアクセス制御情報取得部と、前記アクセス制御情報取得部により取得された前記アクセス制御情報に従うアクセス可否判定に必要な前記操作者属性情報を前記操作者属性情報記憶部から取得する操作者属性情報取得部と、前記アクセス制御情報取得部により取得された前記アクセス制御情報に従うアクセス可否判定に必要な前記データ属性情報を前記データ属性情報記憶部から取得するデータ属性情報取得部と、前記アクセス制御情報取得部から受けた前記アクセス制御情報に従って、前記操作者属性情報取得部から受けた前記操作者属性情報および前記データ属性情報取得部から受けた前記データ属性情報の少なくとも一方に基づいて、前記操作者の前記医用データへのアクセス可否判定を実行し、アクセス不可と判定された前記医用データへのアクセス制限を行うアクセス可否判定部とを設けたことを特徴とするものである。
【手続補正３】
【補正対象書類名】明細書
【補正対象項目名】０００９
【補正方法】変更
【補正の内容】
【０００９】
また、本発明に係る医用データアクセス制御方法は、上述の目的を達成するために、請求項１０に記載したように、医用機器に操作者属性情報として保存された操作者の属性情報およびデータ属性情報として保存された医用データの属性情報の少なくとも一方を用いて前記医用機器に保存された医用データへの操作者のアクセスを制御するためのアクセス制御情報を作成するステップと、前記アクセス制御情報を保存するステップと、前記操作者の識別情報および役割情報の少なくとも一方に基づいて、保存された前記アクセス制御情報から当該操作者の前記アクセス制御情報を取得するステップと、取得された前記アクセス制御情報に従うアクセス可否判定に必要な前記操作者属性情報を取得するステップと、取得された前記アクセス制御情報に従うアクセス可否判定に必要な前記データ属性情報を取得するステップと、取得された前記アクセス制御情報に従って、取得された前記操作者属性情報および前記データ属性情報の少なくとも一方に基づいて、前記操作者の前記医用データへのアクセス可否判定を実行し、アクセス不可と判定された前記医用データへのアクセス制限を行うステップとを有することを特徴とするものである。